(57)【要約】【課題】  本発明は、コイルに発生する磁束を有効活用して、小型化が可能でシャッタスピードの高速化が可能な光量調整装置を提供すること。【解決手段】  本発明の光量調整装置は、支持部２ｂを形成した回動部材２の回動基部２ａに固着した第１、第２マグネット３、４は、開口部５ａに近い一端部側と開口部５ａから遠い他端部側とが互いに異なる磁極となるように着磁され、第１、第２マグネット３、４と対向する側にコイル１１を配設し、このコイル１１は、第１、第２マグネット３、４の一端部側と他端部側とに対向可能な楕円状に形成され、コイル１１に通電して発生する磁束が第１、第２マグネット３、４の異なる磁極の磁束に作用することにより、回動部材２が支持部２ｂを支点として回動し、羽根部材１２が開口部５ａを遮蔽可能になっている。【選択図】        図１
2006072023.tif 000002
【特許請求の範囲】
【請求項１】
所定の口径の開口部が形成された羽根摺動面を有するベース部材と、前記羽根摺動面上に載置されて前記開口部を開閉する方向に回動操作可能な羽根部材と、前記開口部を開閉可能に前記羽根部材を回動操作可能な回動部材とを備え、前記ベース部材には、前記回動部材を回動自在に支持可能な回動支持部が形成され、前記回動部材には、前記回動支持部に支持可能な支持部が形成され、前記支持部を形成した前記回動部材の前記回動基部には、マグネットが固着され、このマグネットは、前記開口部に近い一端部側と前記開口部から遠い他端部側とが互いに異なる磁極となるように着磁され、前記マグネットと対向する側にコイルを配設し、このコイルは、前記マグネットの前記一端部側と他端部側とに対向可能な形状に形成され、前記コイルに通電して発生する磁束が前記マグネットの前記異なる磁極の磁束に作用することにより、前記回動部材が前記支持部を支点として回動し、前記羽根部材が前記開口部を遮蔽可能になっていることを特徴とする光量調整装置。
【請求項２】
前記マグネットは、前記支持部を挟んだ前記回動基部の前記一方側に配設した第１マグネットと、前記回動基部の他方側に配設した第２マグネットとからなり、前記第１マグネットは、前記一端部側に一方の磁極が、前記他端部側に他方の磁極がそれぞれ着磁され、前記第２マグネットは、前記一端部側に他方の磁極が、前記他端部側に一方の磁極がそれぞれ着磁され、前記コイルは、前記第１、第２マグネットの前記一端部側と他端部側とに対向可能な所定の幅寸法の楕円状に形成されていることを特徴とする請求項１記載の光量調整装置。
【請求項３】
前記回動部材には、前記羽根部材を回動操作可能な羽根操作部が形成され、前記回動部材が回動すると、前記羽根操作部が前記羽根部材を回動操作するようになっていることを特徴とする請求項１、または２記載の光量調整装置。
【請求項４】
前記羽根摺動面には、前記羽根部材を回動自在に支持する羽根支持部が形成され、前記羽根部材には、前記羽根支持部に支持可能な支持部と、前記回動部材の前記羽根操作部が係合可能な操作部とが形成されていることを特徴とする請求項３記載の光量調整装置。
【請求項５】
前記ベース部材には、前記回動部材を回動自在に保持可能な空洞状の保持部が形成され、前記保持部内に橋渡しされて前記回動支持部を有する桟部が形成され、前記第１、第２マグネットは、前記桟部に対して所定の隙間を有して前記回動基部の前記一方側と他方側とに固着されていることを特徴とする請求項２乃至４のいずれかに記載の光量調整装置。
【発明の詳細な説明】
【技術分野】
【０００１】
本発明は、光量調整装置に係わり、デジタルムービーカメラあるいはデジタルスチルカメラ等に用いて好適な光量調整装置に関する。
【背景技術】
【０００２】
従来の光量調整装置を、特許文献１に基づいて説明すると、図４、図５に示すように、矩形状の地板５０には、丸孔からなる所定の口径の開口部５０ａが貫通形成されている。前記地板５０表面に形成した複数の摺動レール５０ａ上には、第１、第２羽根５１、５２がスライド自在に載置されている。
また、第１絞り羽根５１の一端部（図示手前）側には長孔５１ａが、他端部（図示奥側）には三角状の絞り部５１ｂが形成され、第２絞り羽根５２の一端部側には長孔５２ａが、他端部側には丸穴状の絞り孔５２ｂが形成されている。
【０００３】
また、第１、第２羽根５１、５２上には、丸孔状の開口部５３ａを有するカバー５３が配設されている。
前記第１、第２羽根５１、５２の長孔５１ａ、５２ａには、アーム５４のピン５４ａ、５４ｂが係合しており、アーム５４が右方向、あるいは左方向に回動することで第１、第２羽根５１、５２が開口部５０ｂ、５３ａを遮蔽したり開放したりするようになっている。
また、地板５０には、ボス５０ｃが突出形成され、このボス５０ｃにスプリング５５が巻回されている。また、ボス５０ｃの孔５０ｄには、回転軸５６が挿通支持され、この回転軸５６にアーム５４の回動中心の圧入孔５４ｃが圧入等で固着されている。
【０００４】
前記回転軸５６は、円筒状のヨーク５７の内部に配設した駆動コイル５８ａを有する駆動コイル枠５８と、制動コイル５９ａを有する制動コイル枠５９とに挟まれて、下端部にロータマグネット（図示せず）が取り付けられている。
そして、ロータマグネットを駆動させて回転軸５６は、例えば反時計回り方向に回動して、アーム５４も同方向に回動し、第１羽根５１が矢印Ａ方向にスライドすると共に、第２羽根５２が第１羽根５１と反対方向の矢印Ｂ方向にスライドする。このことにより、絞り部５１ｂと絞り孔５２ｂとにより、開口部５０ｂ、５３ａを絞り込んで絞り動作を行うことができる。
あるいは、開口部５０ｂ、５３ａを完全に遮蔽してシャッタ動作を行うことができる。
【特許文献１】実用新案登録  第２５０２００５号公報
【発明の開示】
【発明が解決しようとする課題】
【０００５】
しかし、前述したような従来の光量調整装置は、第１、第２羽根５１、５２が矢印Ａ方向あるいは矢印Ｂ方向の直線状にスライドするようになっているために、装置全体がスライド方向に横長状となって大型化する問題があった。
また、ロータマグネットを回動駆動するために、２つのコイル５８ａ、５９ａを配設しているので、駆動部分が大型となり、更に装置全体が大型化する問題があった。更に、摺動する第１、第２羽根５１、５２間には、摺動摩擦が発生するので、第１、第２羽根５１、５２でシャッター動作を行う場合に、シャッタスピードにバラツキが発生して、シャッタスピードが遅くなる問題があった。
本発明は、前述したような課題を解決するためのものであり、コイルに発生する磁束を有効活用して、小型化が可能でシャッタスピードの高速化が可能な光量調整装置を提供することを目的とする。
【課題を解決するための手段】
【０００６】
前記課題を解決するための第１の解決手段として本発明の光量調整装置は、所定の口径の開口部が形成された羽根摺動面を有するベース部材と、前記羽根摺動面上に載置されて前記開口部を開閉する方向に回動操作可能な羽根部材と、前記開口部を開閉可能に前記羽根部材を回動操作可能な回動部材とを備え、前記ベース部材には、前記回動部材を回動自在に支持可能な回動支持部が形成され、前記回動部材には、前記回動支持部に支持可能な支持部が形成され、前記支持部を形成した前記回動部材の前記回動基部には、マグネットが固着され、このマグネットは、前記開口部に近い一端部側と前記開口部から遠い他端部側とが互いに異なる磁極となるように着磁され、前記マグネットと対向する側にコイルを配設し、このコイルは、前記マグネットの前記一端部側と他端部側とに対向可能な形状に形成され、前記コイルに通電して発生する磁束が前記マグネットの前記一端部側と前記他端部側の異なる磁極の磁束に作用することにより、前記回動部材が前記支持部を支点として回動し、前記羽根部材が前記開口部を遮蔽可能になっていることを特徴とする。
また、前記課題を解決するための第２の解決手段として、前記マグネットは、前記支持部を挟んだ前記回動基部の前記一方側に配設した第１マグネットと、前記回動基部の他方側に配設した第２マグネットとからなり、前記第１マグネットは、前記一端部側に一方の磁極が、前記他端部側に他方の磁極がそれぞれ着磁され、前記第２マグネットは、前記一端部側に他方の磁極が、前記他端部側に一方の磁極がそれぞれ着磁され、前記コイルは、前記第１、第２マグネットの前記一端部側と他端部側とに対向可能な所定の幅寸法の楕円状に形成されていることを特徴とする。
また、前記課題を解決するための第３の解決手段として、前記回動部材には、前記羽根部材を回動操作可能な羽根操作部が形成され、前記回動部材が回動すると、前記羽根操作部が前記羽根部材を回動操作するようになっていることを特徴とする。
【０００７】
また、前記課題を解決するための第４の解決手段として、  前記羽根摺動面には、前記羽根部材を回動自在に支持する羽根支持部が形成され、前記羽根部材には、前記羽根支持部に支持可能な支持部と、前記回動部材の前記羽根操作部が係合可能な操作部とが形成されていることを特徴とする。
また、前記課題を解決するための第５の解決手段として、前記ベース部材には、前記回動部材を回動自在に保持可能な空洞状の保持部が形成され、前記保持部内に橋渡しされて前記回動支持部を有する桟部が形成され、前記第１、第２マグネットは、前記桟部に対して所定の隙間を有して前記回動基部の前記一方側と他方側とに固着されていることを特徴とする。
【発明の効果】
【０００８】
本発明の光量調整装置のマグネットは、ベース部材の開口部に近い一端部側と開口部から遠い他端部側とが互いに異なる磁極となるように着磁され、前記マグネットと対向する側にコイルを配設し、このコイルは、前記マグネットの前記一端部側と他端部側とに対向可能な形状に形成され、コイルに通電して発生する磁束がマグネットの一端部側と他端部側の異なる磁極の磁束に作用することにより、回動部材が支持部を支点として回動し、羽根部材が開口部を遮蔽可能になっているので、コイルに通電して発生する磁束を効率よくマグネットの磁極に磁束に作用させることができ、羽根部材が開口簿を遮蔽するシャッタスピードを高速化できる。
また、第１マグネットは、一端部側に一方の磁極が、他端部側に他方の磁極がそれぞれ着磁され、第２マグネットは、一端部側に他方の磁極が、他端部側に一方の磁極がそれぞれ着磁され、コイルは、第１、第２マグネットの一端部側と他端部側とに対向可能な所定の幅寸法の楕円状に形成されているので、１個のコイルに発生する磁束を２個のマグネットの磁極に効率よく作用させることができ、小型化が可能な光量調整装置を提供できる。
また、回動部材には、羽根部材を回動操作可能な羽根操作部が形成され、回動部材が回動すると、羽根操作部が羽根部材を回動操作するようになっているので、回動部材の回動で羽根部材を確実に回動操作することができる。
【０００９】
また、羽根摺動面には、羽根部材を回動自在に支持する羽根支持部が形成され、羽根部材には、羽根支持部に支持可能な支持部と、回動部材の羽根操作部が係合可能な操作部とが形成されているので、更に羽根部材を確実に回動することができる。
また、ベース部材には、回動部材を回動自在に保持可能な空洞状の保持部が形成され、保持部内に橋渡しされて回動支持部を有する桟部が形成され、第１、第２マグネットは、桟部に対して所定の隙間を有して回動基部の一方側と他方側とに固着されているので、第１、第２マグネットが桟部にぶつかることがなく、回動部材を確実に回動させることができる。
【発明を実施するための最良の形態】
【００１０】
以下、本発明に関する光量調整装置の実施の形態を図１〜図３に基づいて説明する。図１は本発明の光量調整装置の分解斜視図であり、図２は図１のトップカバーを除いた状態の平面図であり、図３は図２のコイルを除いた平面図である。
【００１１】
まず、本発明の光量調整装置の最下部には、材質が鋼板等の磁性材料で形成された、外形が円形状のボトムカバー１が配設されている。
前記ボトムカバー１は、中央部に開口１ａが形成され、この開口１ａの外側に略円形状の平坦部１ｂが形成されて外形が略ドーナッツ状になっている。
また、ボトムカバー１は、平坦部１ｂの外周部に３個の位置決め溝１ｃと、１個の端子逃げ部１ｄとが形成されている。
【００１２】
また、ボトムカバー１の図示右側の平坦部１ｂ上には、樹脂材料からなる板状の回動部材２が配設されており、この回動部材２は、面積の大きな回動基部２ａが形成され、この回動基部２ａの重心位置である中央部には、所定の径寸法と高寸法で支持部２ｂが突出形成されている。
前記回動基部２ａの図示奥側の一方側には、第１腕部２ｃが図示左方向に延びて形成され、この第１腕部２ｃの端部側に、所定の径寸法と高寸法で突出する羽根操作部２ｄが形成されている。
【００１３】
前記羽根操作部２ｄの高さ寸法は、支持部２ｂの高さ寸法より若干高く形成されて、先端部が後述するトップカバー１３を挿通するようになっている。
また、回動基部２ａの図示手前側の他方側には、第２腕部２ｅが第１腕部２ｃと同方向に延びて形成されている。
前記回動部材２の回動基部２ａには、一対の第１、第２マグネット３、４が配設されており、第１マグネット３は、支持部２ｂを挟んだ回動基部２ａの図示奥側の一方側に接着剤等で固着されている。
【００１４】
また、第２マグネット４は、支持部２ｂを挟んだ回動基部２ａの図示手前側の他方側に接着剤等で固着されている。
前記回動基部２ａに固着した第１マグネット３は、後述するベース部材５の開口部５ａに近い一端部側が一方の磁極である例えばＳ極に、開口部５ａから遠い他端部側が他方の磁極であるＮ極に着磁されている。
また、第２マグネット４は、第１マグネット３と着磁方向が逆になっており、後述するベース部材５の開口部５ａに近い一端部側が他方の磁極である例えばＮ極に、開口部５ａから遠い他端部側が一方の磁極であるＳ極に着磁されている。
即ち、第１、第２マグネット３、４は、ベース部材５の開口部５ａに近い一端部側と開口部５ａから遠い他端部側とが互いに異なる磁極が着磁されている。
【００１５】
また、平坦部１ｂ上に回動部材２を載置した状態のボトムカバー１上には、外径がボトムカバー１と略同じ大きさに形成された樹脂材料からなるベース部材５が配設され、このベース部材５は、所定の厚さに形成されている。
また、ベース部材５の中心部には、所定の口径からなる開口部５ａが形成され、この開口部５ａの周囲が平坦状の羽根摺動面５ｂとなっている。
そして、羽根摺動面５ｂ上には、開口部５ａの外側に後述する羽根部材１２の厚さより高さ寸法が若干プラスの第１カバー受け部５ｃが、略馬蹄形状に形成されている。
【００１６】
また、ベース部材５の外周縁部には、羽根摺動面５ｂからの高さ寸法が第１カバー受け部５ｃと同じ第２カバー受け部５ｄが突出形成されている。
前記第２カバー受け部５ｄの円周方向の３箇所の略等間隔の位置には、後述するトップカバー１３を位置決め可能な第１、第２、第３上部位置決め部５ｅ、５ｆ、５ｇが形成されている。
【００１７】
前記第１、第２、第３上部位置決め部５ｅ、５ｆ、５ｇは、第２カバー受け部５ｄから所定寸法高く形成されて、後述するトップカバー１３を位置決めして固着可能になっている。
また、第１、第２、第３上部位置決め部５ｅ、５ｆ、５ｇと対向するベース部材５の下面側の３箇所には、ボトムカバー１を位置決めして固着可能な下部位置決め部５ｈが形成されている。そして、下部位置決め部５ｈがボトムカバー１の位置決め溝１ｃに嵌合するようになっている。
【００１８】
前記第１カバー受け部５ｃの図示右側から第２カバー受け部５ｄまでの間には、空洞状で略扇状の保持部６が貫通形成され、この保持部６に第１、第２上部位置決め部５ｅ、５ｆが形成されて、下部位置決め部５ｈに連結されている。
また、第１、第２上部位置決め部５ｅ、５ｆ間の保持部６内には、所定の幅寸法と厚さ寸法の桟部７が橋渡し形成され、この桟部７に回動部材２の支持部２ｂを嵌合支持可能な孔からなる回動支持部７ａが貫通形成されている。
また、保持部６の図示奥側の壁面６ａと羽根摺動面５ｂとが接する部分の境界部分には、第１、第２、第３上部位置決め部５ｅ、５ｆ、５ｇと略同じ高さに形成された羽根支持部８が突出形成されている。
【００１９】
このようなベース部材５は、平坦部１ｂ上に回動部材２を載置した状態で、ボトムカバー１の位置決め溝１ｃに下部位置決め部５ｈを嵌合させると、回動部材２の支持部２ｂが桟部７の回動支持部７ａに嵌合支持される。
そして、回動支持部７ａに嵌合する支持部２ｂは、回動支持部７ａを挿通して、先端部が、後述するトップカバー１３に当接可能になっている。
【００２０】
そのために、保持部６内に位置する回動部材２の上下方向のガタ付きを防止することができる。
また、第１、第２マグネット３、４の間には、所定の隙間を有して桟部７が位置するようになっているので、回動部材２は、支持部２ｂを支点として一方側と他方側とがシーソー状に回動自在となっている。
【００２１】
また、ベース部材５の第２、第３上部位置決め部５ｆ、５ｇ間には、所定の幅寸法と深さ寸法の端子固定部９が彫り込み形成され、この端子固定部９には、後述するコイル１１に通電するための端子部材１０が固定可能になっている。
前記端子部材１０は、樹脂材料からなる基部１０ａと、この基部１０ａにインサート成型等で例えば２本の端子１０ｂが埋設されている。そして、端子１０ｂがベース部材５の外部に引き出されている。
【００２２】
また、保持部６に保持した状態の回動部材２の第１、第２マグネット３、４と対向する上方には、所定の隙間を有して第１、第２マグネット３、４の一端部側と他端部側とに対向可能な所定の幅寸法で略楕円状に形成されたコイル１１が配設されている。
前記コイル１１は、薄板状に形成されて、ベース部材５の桟部７上に接着剤等で固着されて、第１、第２マグネット３、４に対して所定の隙間が形成されるようになっている。
【００２３】
また、ベース部材５の羽根摺動面５ｂ上には、薄板状の羽根部材１２が載置されている。そして、羽根部材１２には、ベース部材５の羽根支持部８に嵌合支持可能な丸孔状の嵌合支持部１２ａと、回動部材２の羽根操作部２ｄが係合可能な長溝状の操作部１２ｂと、開口部５ａを遮蔽可能な面積の大きな遮蔽部１２ｃとが形成されている。
前記羽根部材１２は、厚さが第１、第２カバー受け部５ｃ、５ｄの高さ寸法より若干薄く形成されている。
【００２４】
また、第２カバー受け部５ｄ上には、羽根摺動面５ｂ上を覆うトップカバー１３が配設され、このトップカバー１３は、鉄板等の磁性材料からなり、ベース部材５の外径寸法と略同じ大きさの円形状に形成されている。
前記トップカバー１３には、中心部にベース部材５の開口部５ａより大きな開口１３ａが形成されると共に、外周部にベース部材５の第１、第２、第３上部位置決め部５ｅ〜５ｇに嵌合して位置決め可能な位置決め溝１３ｂが３箇所に形成されている。
【００２５】
そして、位置決め溝１３ｂを第１、第２、第３上部位置決め部５ｅ〜５ｇに嵌合させて位置決めしたトップカバー１３には、羽根支持部８が挿通嵌合可能な丸孔１３ｃと、回動部材２の羽根操作部２ｄが係合してスライド可能な長孔１３ｄがそれぞれ貫通形成されている。
前記第１、第２カバー受け部５ｃ、５ｄ上にトップカバー１３を位置決めして載置すると、羽根摺動面５ｂ上に位置する羽根部材１２とトップカバー１３との間に微細な隙間ができて、羽根部材１２が回動自在になっている。
また、トップカバー１３、およびボトムカバー１は、接着剤等でベース部材５に固着されるようになっている。
【００２６】
このような本発明の光量調整装置の動作を説明すると、まずコイル１１に一方向の電流を通電して発生する磁束が、第１、第２マグネット３、４の一方と他方の磁極の磁束に作用することにより、回動部材２が支持部２ｂを支点として、例えば時計回り方向に回動する。
すると、回動部材２の羽根操作部２ｄによって、羽根支持部８に嵌合支持部１２ａを嵌合支持した羽根部材１２が、羽根支持部８を支点として反時計回り方向に回動し、遮蔽部１２ｃが開口部５ａを遮蔽する方向に回動する。
そして、遮蔽部１２ｃが開口部５ａを完全に遮蔽してシャッタ動作が行われる。
【００２７】
また、開口部５ａを部分的に遮蔽する絞り動作を行う場合は、回動部材２の回動量を検出可能なホール素子等からなる位置検出手段（図示せず）をベース部材５に配設し、羽根部材１２の遮蔽部１２ｃが開口部５ａを所望の量絞り込んだことを位置検出手段が検出すると、コイル１１に通電する電流量および通電方向を制御することにより回動部材２の動きをロックするようになっている。
【００２８】
本発明の光量調整装置は、所定の幅寸法で略楕円状に形成されたコイル１１の左右が、第１、第２マグネット３、４の互いに異なる磁極が着磁された一端部側と他端部側とに対向するようになっているので、コイル１１に通電したときに、左右両側のコイル１１から発生する磁束を、第１、第２マグネット３、４のそれぞれの磁極の磁束に効率良く作用させることができる。
即ち、コイル１１に発生する磁束を有効活用することができ、回動部材２を高速回動させることができる。
そのために、回動部材２の回動速度を速くでき、開口部５ａを遮蔽する羽根部材１２の動きを速くしてシャッタスピードを高速化できる。
【００２９】
また、回動部材２の回動基部２ａの重心位置である中央部に、回動支点である支持部６ｆを形成しているので、外部から衝撃等が加わったとしても、回動基部２ａの一方側と他方側とでバランスが保たれて、回動部材２が不必要に回動するのを防止できる。
【００３０】
尚、本発明の実施の形態の説明では、回動部材２の回動基部２ａに第１、第２マグネット３、４を固着したもので説明したが、第１マグネット３、または第２マグネット４のいずれか一方だけを回動基部２ａに固着したものでもも良い。
このような、１個のマグネットでも、コイル１１の左右をマグネットの一端部側と他端部側とに対向させることができ、コイル１１に発生する磁束が１個のマグネットの磁極の磁束に作用して、回動部材２を回動させることができる。
【図面の簡単な説明】
【００３１】
【図１】本発明の光量調整装置の分解斜視図である。
【図２】図１のトップカバーを除いた状態の平面図である。
【図３】図２のコイルを除いた平面図である。
【図４】従来の光量調整装置の分解斜視図である。
【図５】従来の光量調整装置の分解斜視図である。
【符号の説明】
【００３２】
１  ボトムカバー
２  回動部材
２ａ  回動基部
２ｂ  支持部
２ｄ  羽根操作部
３  第１マグネット
４  第２マグネット
５  ベース部材
５ａ  開口部
５ｂ  羽根摺動面
６  保持部
７  桟部
１１  コイル
１２  羽根部材
１３  トップカバー
【図１】
2006072023.tif 000003
【図２】
2006072023.tif 000004
【図３】
2006072023.tif 000005
【図４】
2006072023.tif 000006
【図５】
2006072023.tif 000007